(57)【要約】本発明は、発光素子から放出されて反射された光を用いて位置データを出力する光センサーと、プレスによる圧力信号を出力する圧力センサーと、前記位置データと圧力信号を使用者端末に送信するコントローラーと、前記使用者端末と接続してデータを送受信する使用者端末接続部とを含む。【選択図】図１
2015524965.tif 000002
【特許請求の範囲】
【請求項１】
発光素子から放出されて反射された光を用いて位置データを出力する光センサーと、
使用者端末の下側に位置し、前記使用者端末のプレスによる圧力信号を出力する圧力センサーと、
前記位置データと圧力信号を前記使用者端末に送信するコントローラーと、
前記使用者端末と接続してデータを送受信する使用者端末接続部と、を含み、
前記圧力信号は、
前記使用者端末で生成されるマウス信号の生成有無を判断するのに用いられることを特徴とするスマートマウス装置。
【請求項２】
前記使用者端末接続部は、ＯＴＧ機能を有することを特徴とする請求項１に記載のスマートマウス装置。
【請求項３】
外部端末と接続してデータを送受信する装置接続部をさらに含むことを特徴とする請求項１に記載のスマートマウス装置。
【請求項４】
前記コントローラーは、
前記使用者端末接続部と装置接続部を用いて前記使用者端末と外部端末との間の通信を中継することを特徴とする請求項３に記載のスマートマウス装置。
【請求項５】
前記装置接続部は、
充電器と接続したり、前記コントローラーを介して前記使用者端末との間でデータを送受信する装置と接続できることを特徴とする請求項３に記載のスマートマウス装置。
【請求項６】
前記使用者端末に送信された位置データと圧力信号は、前記使用者端末で生成された各マウス信号と共に前記使用者端末から外部端末に送信され、
前記使用者端末で生成されたマウス信号は、前記使用者端末のタッチスクリーン及びボタンによって生成されることを特徴とする請求項１に記載のスマートマウス装置。
【請求項７】
前記圧力センサーは、
所定の時間以上圧力が一定に感知される場合、前記圧力信号を出力することを特徴とする請求項６に記載のスマートマウス装置。
【請求項８】
前記コントローラーとの間でデータを送受信する装置と接続できる追加接続部をさらに含む、請求項１に記載のスマートマウス装置。
【請求項９】
メモリと接続できるメモリ接続部をさらに含む、請求項１に記載のスマートマウス装置。
【請求項１０】
前記使用者端末のバッテリーを接続できるバッテリー接続部をさらに含み、
前記バッテリー接続部は、前記使用者端末にバッテリーをさらに接続することによって使用者端末のバッテリー容量を増加または充電できることを特徴とする請求項１に記載のスマートマウス装置。
【請求項１１】
前記使用者端末の非常電源として使用できる内蔵バッテリーをさらに含む、請求項１に記載のスマートマウス装置。
【請求項１２】
前記圧力センサーと前記使用者端末に含まれたボタン及びタッチスクリーンを用いて、クリック、マウスホイール、ショートカットキー、拡大、縮小、回転、取り消し、または所定の命令のうち一つの信号を出力することを特徴とする、請求項１に記載のスマートマウス装置。
【請求項１３】
前記圧力センサーは、
しきい値以上の圧力が感知されると、マウス信号が生成されたと判断することを特徴とする、請求項１に記載のスマートマウス装置。
【請求項１４】
前記使用者端末は、
ディスプレイ装置と有線または無線で連結され、前記使用者端末の内部で遂行しようとする作業を前記ディスプレイ装置に表示し、前記使用者端末で生成されるマウス信号を用いて前記作業を行うことを特徴とする、請求項１に記載のスマートマウス装置。
【発明の詳細な説明】
【技術分野】
【０００１】
本発明は、スマートマウス装置に関し、より詳細には、光センサー及び圧力センサーを用いて多様な形態のマウスとして利用できるスマートマウス装置に関する。
【背景技術】
【０００２】
既存のマウスは、断片化した通信規格のみを使用しているが、各マウスに専用レシーバーを利用しなければならないか、ブルートゥース、ＵＳＢ、及びＷｉ―Ｆｉのうち一つの通信方法を用いてしかコンピューターと接続できないという問題を有する。また、既存のマウスは、その機能がマウスホイール機能、左右ページフリップなどの初期のマウス機能からほとんど発展しておらず、単純な作業のみを行える。
【０００３】
最近、マウスの機能が発展すると共に、タッチマウスが開発されているが、従来のタッチマウスは、マウスの上端にタッチパッドを具現しなければならないので、価格が高く、具現しにくいという問題を有する。
【発明の概要】
【発明が解決しようとする課題】
【０００４】
本発明が解決しようとする課題は、多様な形態のマウスとして利用できるスマートマウス装置を提供することにある。
【課題を解決するための手段】
【０００５】
本発明は、前記第１の課題を達成するために、発光素子から放出されて反射された光を用いて位置データを出力する光センサーと、プレスによる圧力信号を出力する圧力センサーと、前記位置データと圧力信号を使用者端末に送信するコントローラーと、前記使用者端末と接続してデータを送受信する使用者端末接続部とを含むスマートマウス装置を提供する。
【０００６】
本発明の他の実施例によると、前記使用者端末接続部は、ＯＴＧ機能を有することを特徴とするスマートマウス装置であってもよい。
【０００７】
本発明の他の実施例によると、コンピューター端末と接続してデータを送受信する装置接続部をさらに含んでもよく、前記コントローラーは、前記使用者端末接続部と装置接続部を用いて前記位置データと圧力信号を前記使用者端末とコンピューター端末に送信したり、前記使用者端末とコンピューター端末との間の通信を中継することを特徴とするスマートマウス装置であってもよい。
【０００８】
本発明の他の実施例によると、前記装置接続部は、充電器と接続したり、前記コントローラーとの間でデータを送受信する装置と接続することができ、前記使用者端末に送信された位置データと圧力信号は、前記使用者端末で生成された各マウス信号と共に前記使用者端末からコンピューター端末に送信され、前記使用者端末で生成されたマウス信号は、使用者端末のタッチスクリーン及びボタンによって生成されることを特徴とするスマートマウス装置であってもよい。
【発明の効果】
【０００９】
本発明によると、無線マウス送受信機を用いることなく、使用者端末を用いて無線マウスまたはスマートマウスを利用することができ、コンピューターとの連結を通じて基本マウスまたはタッチマウスを利用することができ、使用者端末の多様な通信経路を利用することができる。また、本発明によると、使用者端末を用いて多様な機能を具現し、使用に便利で且つ効率的なスマートマウスを利用することができる。さらに、一方的にコンピューターでデータを伝送する単方向入力装置であるマウスを、コンピューター及び他の装置とデータを取り交わすことができる双方向入出力装置として使用できるようになる。
【図面の簡単な説明】
【００１０】
【図１】本発明の一実施例に係るスマートマウス装置のブロック図である。
【図２】本発明の他の実施例に係るスマートマウス装置のブロック図である。
【図３】本発明の一実施例に係るスマートマウス装置及び前記スマートマウス装置が使用者端末と接続するときの状態を示す図である。
【図４】本発明の他の実施例に係るスマートマウス装置及び前記スマートマウス装置が使用者端末と接続するときの状態を示す図である。
【図５】本発明の更に他の実施例に係るスマートマウス装置及び前記スマートマウス装置が使用者端末と接続するときの状態を示す図である。
【図６ａ】使用者端末によって具現できるマウス機能を示した図である。
【図６ｂ】使用者端末によって具現できるマウス機能を示した図である。
【図６ｃ】使用者端末によって具現できるマウス機能を示した図である。
【図６ｄ】使用者端末によって具現できるマウス機能を示した図である。
【図６ｅ】使用者端末によって具現できるマウス機能を示した図である。
【図７】本発明の他の実施例に係るスマートマウス装置を示した図である。
【発明を実施するための形態】
【００１１】
本発明に関する具体的な内容を説明する前に、理解の便宜上、まず、本発明が解決しようとする課題の解決方案の概要あるいは技術的思想の核心を提示する。
【００１２】
本発明の一実施例に係るスマートマウス装置は、発光素子から放出されて反射された光を用いて位置データを出力する光センサーと、プレスによる圧力信号を出力する圧力センサーと、前記位置データと圧力信号を使用者端末に送信するコントローラーと、前記使用者端末と接続してデータを送受信する使用者端末接続部とを含む。
【００１３】
以下、添付の図面を参照して、本発明の属する技術分野で通常の知識を有する者が本発明を容易に実施できる実施例を詳細に説明する。しかし、これら実施例は、本発明をより具体的に説明するためのものであって、本発明の範囲がこれによって制限されないことは、当業界の通常の知識を有する者にとって自明であろう。
【００１４】
本発明が解決しようとする課題の解決方案を明確にするための発明の構成を、本発明の好ましい実施例に基づいて添付の図面を参照して詳細に説明し、図面の各構成要素に付与される参照番号において、同一の構成要素に対しては、たとえ他の図面上にあるとしても同一の参照番号を付与し、当該図面に対する説明時、必要な場合は、他の図面の構成要素を引用できることを予め明らかにしておく。併せて、本発明の好ましい実施例に対する動作原理を詳細に説明するにおいて、本発明と関連する公知の機能あるいは構成に対する具体的な説明、そして、それ以外の諸般の事項が本発明の要旨を不要に不明瞭にし得ると判断される場合、それについての詳細な説明は省略する。
【００１５】
図１は、本発明の一実施例に係るスマートマウス装置のブロック図である。
【００１６】
本発明の一実施例に係るスマートマウス装置１００は、光センサー１１０、圧力センサー１２０、及び使用者端末接続部１４０含んで構成され、装置接続部１５０をさらに含んでもよい。本発明の一実施例に係るスマートマウス装置１００は、スマートフォンなどの使用者端末１６０に接続して無線マウスとして利用してもよく、使用者端末のタッチスクリーンを用いてタッチマウスとして利用してもよく、使用者端末１６０で具現できる多様な機能をさらに行うスマートマウスとして使用してもよい。または、本発明の一実施例に係るスマートマウス装置１００は、コンピューター端末１７０に直接接続したり、無線マウス送受信機を用いて、使用者端末１６０を用いることなくマウスとして使用してもよい。すなわち、本発明の一実施例に係るスマートマウス装置は、一つの装置を通じて、状況に応じて多様なマウスを具現する装置である。
【００１７】
光センサー１１０は、発光素子から放出されて反射された光を用いて位置データを出力する。
【００１８】
より具体的に、光センサー１１０は、光マウスの光センサーとしての役割をするセンサーであって、発光素子から放出されて反射された光を用いて位置データを出力する。使用者端末１６０は、スマートフォンなどの移動端末であってもよい。使用者端末１６０には光センサーが備えられていないので、使用者端末１６０をマウスとして利用するのにハードウェア的限界があるという問題がある。このような問題を解決するために、光センサー１１０が光マウスの光センサーとしての役割をする。前記発光素子は、光、レーザー、ブルートラック、ダークフィールドなどの多様な光を放出することができ、光センサー１１０は、前記発光素子の光を感知することができる。光センサー１１０は、前記発光素子から放出されて反射された光の移動方向と移動速度などを用いて位置データを出力する。前記位置データは、マウスカーソルの移動方向と移動速度に対応する。
【００１９】
圧力センサー１２０は、プレスによる圧力信号を出力する。
【００２０】
より具体的に、圧力センサー１２０は、圧力の有無と圧力のしきい値を用いて圧力信号を出力する。圧力センサー１２０は、予め設定されたしきい値以上の圧力が感知される場合に前記圧力信号を出力し、前記圧力信号は、前記使用者端末で生成されるマウス信号の生成有無を判断するのに用いられてもよい。前記圧力信号は、本発明のスマートマウス装置１００が使用者端末１６０と接続したとき、使用者が使用者端末１６０のタッチスクリーンをクリックしたのか、それとも、何らマウス信号入力意思もなく手を前記タッチスクリーンに置いたのかを判断することができる。使用者が使用者端末１６０をタッチまたはクリックし、マウス信号を生成しようとするとき、必要な最小圧力値をしきい値に設定し、前記しきい値以上の圧力が感知されたときのみに前記マウス信号が生成されると判断することができる。使用者端末に圧力センサーがない場合、前記圧力信号のしきい値を用いて、使用者が何らマウス信号入力意思もなく手を使用者端末１６０に置くことによって発生し得る入力のエラーを防止することができる。
【００２１】
また、圧力センサー１２０は、マウスのクリックボタンまたはタッチマウスのタッチパッドとしての役割をすることができる。圧力センサー１２０は、圧力感知センサーまたはボタンであってもよい。圧力センサー１２０としては、既存のマウスのクリックボタンに対応するボタンを利用してもよく、圧力センサーを用いてプレスによる圧力信号を生成することができる。または、圧力センサー１２０は、スクロール信号を生成することができる。圧力センサー１２０としては、一つ以上の圧力感知センサーまたはボタンを利用してもよい。前記圧力感知センサーまたはボタンは、マウスの右クリック、左クリック、スクロールなどの信号を生成したり、または、コピー、ページフリップなどのショートカットキー信号を生成することができる。
【００２２】
コントローラー１３０は、前記位置データと圧力信号を使用者端末に送信する。
【００２３】
より具体的に、既存のマウスから出力される各信号に該当する、光センサー１１０と圧力センサー１２０から出力される位置データとマウス信号を該当のコンピューター端末１７０に伝送するために、コントローラー１３０は、接続している使用者端末１６０に前記位置データと圧力信号を送信する。
【００２４】
使用者端末１６０に送信された位置データと圧力信号は、使用者端末１６０で生成された各マウス信号と共に、使用者端末１６０からコンピューター端末１７０に送信され、前記使用者端末１６０で生成されたマウス信号は、使用者端末１６０のタッチスクリーン及びボタンによって生成されたものであってもよい。使用者端末１６０は、スマート端末であってもよく、使用者端末１６０が利用できるブルートゥース、Ｗｉ―Ｆｉなどの多様な通信経路を用いて前記位置データと圧力信号をコンピューター端末１７０に送信することができる。これを通じて、無線マウス送受信機がなくても無線でマウスを利用することができる。既存のマウスは、断片化した通信規格を有さなければならなく、無線マウスの場合、別途の受信機が必要であるという点で不便だった。しかし、使用者端末１６０の通信経路を用いることによって、別途の受信機が必要でないだけでなく、多様な通信経路を使用することができる。また、スマートマウス装置１００は、使用者端末１６０のタッチスクリーン、ボタン、及び多様なセンサーを用いてその機能を拡大できるので、単純なクリックのみならず、入力または編集などの多様な機能を行うスマートマウスとして使用することができる。または、スマートマウス装置１００は、装置接続部１５０を通じてコンピューター端末１７０と直接接続したり、無線マウス送受信機を用いてコンピューター端末１７０に前記位置データと圧力信号を送信することもできる。スマートマウス装置１００は、使用者端末１６０と接続しない場合、既存のマウスと同一に利用することができる。前記通信経路は、有線通信経路を優先とし、有線通信経路が切れた場合、ＵＳＢ、Ｗｉ―Ｆｉ、ブルートゥース、及びその他経路の順に自動的に接続させることができる。
【００２５】
コンピューター端末１７０の他に、スマートＴＶのように、自体的にプロセッサを有し、マウス作業を必要とする端末などをスマートマウス装置１００に連結して使用することもできる。
【００２６】
コントローラー１３０は、使用者端末接続部１４０と装置接続部１５０を用いて前記位置データと圧力信号を使用者端末１６０とコンピューター端末１７０に送信したり、使用者端末１６０とコンピューター端末１７０との間の通信を中継することができる。上述したように、スマートマウス装置１００は、使用者端末接続部１４０を介した使用者端末１６０との接続を通じて、無線マウスとして利用してもよく、使用者端末１６０の機能を用いてスマートマウス及びタッチマウスとして利用してもよい。また、スマートマウス装置１００は、装置接続部１５０を介したコンピューター端末１７０との接続を通じて、既存のマウスと同一に利用してもよく、使用者端末１６０及びコンピューター端末１７０との接続を通じて、スマートマウスとして利用してもよい。スマートマウス装置１００が使用者端末１６０及びコンピューター端末１７０と接続する場合、前記位置データと圧力信号は、使用者端末１６０を介してコンピューター端末１７０に送信する必要がなく、コンピューター端末１７０に直接送信することができる。また、スマートマウス装置１００は、使用者端末１６０で具現される多様なマウス機能をコンピューター端末１７０に伝送する中継器として使用してもよい。
【００２７】
また、使用者端末接続部１４０がＯＴＧ（Ｏｎ―Ｔｈｅ―Ｇｏ）機能を有さない場合、コントローラー１３０がＯＴＧ機能を提供することができる。すなわち、スマートマウス装置１００は、ホストとして作動するコンピューターを用いることなく、使用者端末１６０との接続を通じてマウス機能を直接行うことができる。
【００２８】
使用者端末接続部１４０は、使用者端末１６０と接続してデータを送受信する。
【００２９】
より具体的に、使用者端末接続部１４０は、前記位置データと圧力信号を使用者端末１６０に送信し、スマートマウス装置１００が使用者端末１６０及びコンピューター端末１７０と全て接続している場合、使用者端末１６０のデータを受信することができる。また、使用者端末接続部１４０は、ＵＳＢ（汎用直列バス）で具現されてもよく、または、専用の使用者端末１６０がある場合、専用の使用者端末１６０と連結される接続手段で具現されてもよい。
【００３０】
使用者端末接続部１４０は、ＯＴＧ機能を備えてもよく、ＵＳＢ  ＯＴＧ機能を備えることによって、コンピューターがなくても、使用者端末１６０と直接接続してデータを取り交わすことができる。ＯＴＧ機能を通じて、使用者端末接続部１４０が使用者端末と接続し、装置接続部１５０に外付けハードディスクやカメラなどを接続することによって、スマートマウス装置１００は前記使用者端末１６０とデータを取り交わすことができる。
【００３１】
スマートマウス装置１００は、圧力センサー１２０、使用者端末１６０に含まれたボタン及びタッチスクリーンを用いて、クリック、マウスホイール、ショートカットキー、拡大、縮小、取り消し、または所定の命令のうち一つの信号を出力することができる。圧力センサー１２０の機能のみならず、使用者端末１６０のボタン及びタッチスクリーンを用いて多様なマウス機能を具現することができる。
【００３２】
より具体的に、圧力センサー１２０は、上述したように、圧力を感知し、圧力信号を生成することができる。ここで、使用者端末１６０に含まれたボタン及びディスプレイのタッチスクリーンなどを用いて多様なマウス信号を生成することができる。使用者端末１６０のボタンは、マウス信号を生成したり、ショートカットキーとして使用することができる。また、使用者端末１６０のタッチスクリーンを通じて多様な機能を定義することによって、多様な機能を具現することができる。前記多様な機能に対する詳細な説明は、図６ａ〜図６ｅを参照して詳細に取り扱うことにする。
【００３３】
装置接続部１５０は、コンピューター端末１７０と接続してデータを送受信する。
【００３４】
より具体的に、装置接続部１５０は、前記位置データと圧力信号をコンピューター端末１７０に送信し、スマートマウス装置１００が使用者端末１６０及びコンピューター端末１７０と全て接続している場合、使用者端末１６０のデータをコンピューター端末１７０に送信することができる。使用者端末１６０と接続することなく、コンピューター端末１７０と接続している場合、スマートマウス装置１００は、位置データと圧力信号をコンピューター端末１７０に送信する、すなわち、マウスとして利用することができる。
【００３５】
装置接続部１５０は、充電器と接続したり、前記コントローラーとの間でデータを送受信する装置と接続することができる。装置接続部１５０は、ＵＳＢによって具現化されてもよく、コンピューター端末１７０の他に充電器と接続して使用者端末１６０のバッテリーを充電することもでき、外付けハードディスクまたはカメラなどの他の機器と接続してデータを送受信することもできる。スマートマウス装置１００は、使用者端末接続部１４０を介して使用者端末１６０と接続し、装置接続部１５０を介して他のＵＳＢ周辺機器と接続し、コンピューターを用いることなく、前記各機器と直接連結してデータを取り交わすことができる。前記装置接続部１５０でない他の接続部をさらに含み、これを前記各周辺機器と接続することもできる。他の機器との接続構成は、図２を参照して詳細に説明する。
【００３６】
図２は、本発明の他の実施例に係るスマートマウス装置のブロック図である。
【００３７】
本発明の他の実施例に係るスマートマウス装置は、内蔵バッテリー２１０、追加接続部２２０、バッテリー接続部２３０、またはメモリ接続部２４０をさらに含んでもよい。本発明の他の実施例に係るスマートマウス装置は、マウスとして利用するだけでなく、他の機器とさらに接続できるようにし、バッテリー容量の追加または充電、他の機器との通信、または外部メモリの連結などを行うことができる。図２のスマートマウス装置は、図１のスマートマウス装置の機能を拡張したものである。
【００３８】
内蔵バッテリー２１０は、使用者端末１６０の非常電源として使用できるバッテリーである。
【００３９】
より具体的に、スマート端末のように、移動端末である使用者端末１６０にはバッテリーが必要であるが、携帯用バッテリーの場合、容量の制限があるので、スマートマウス装置１００に内蔵バッテリーを含み、使用者端末１６０のバッテリー電源が切れた場合、この内蔵バッテリー２１０を非常電源として使用することができる。装置接続部１５０は、コンピューター端末または充電器２５０と接続することができ、前記充電器と接続することによって、内蔵バッテリー２１０が充電される。
【００４０】
追加接続部２２０を通じて、コントローラー１３０との間でデータを送受信する装置をスマートマウス装置１００と接続することができる。
【００４１】
より具体的に、追加接続部２２０は、装置接続部１５０と接続できる他の装置をスマートマウス装置１００にさらに接続できるようにする。前記他の装置は、他のコンピューター端末であってもよく、外付けハードディスクまたはカメラなどであってもよい。追加接続部２２０はＵＳＢによって具現化されてもよい。
【００４２】
バッテリー接続部２３０を通じて、使用者端末１６０のバッテリーをスマートマウス装置１００と接続することができ、使用者端末１６０にバッテリーをさらに接続することによって使用者端末１６０のバッテリー容量を増加または充電することができる。
【００４３】
より具体的に、使用者端末１６０に補助バッテリーを接続することによって使用者端末のバッテリー容量を増加させることができ、装置接続部１５０に充電器を接続することによって使用者端末１６０のバッテリーを充電するとき、バッテリー接続部２３０に接続したバッテリーを共に充電することもできる。バッテリー接続部２３０は、使用者端末１６０のバッテリーと接続できる接続手段によって具現化されてもよい。
【００４４】
メモリ接続部２４０を通じて、メモリと接続することができる。
【００４５】
より具体的に、外部保存装置であるメモリとしては、ＵＳＢで連結される外付けハードディスク、ＵＳＢメモリなどもあるが、ＳＤカードのように、該当のメモリの専用接続部が必要なメモリがある。メモリ接続部２４０は、前記ＳＤカードを接続できるスロットなどによって具現化され、他のメモリと接続して前記メモリとの間でデータを送受信することができる。
【００４６】
図３は、本発明の一実施例に係るスマートマウス装置が使用者端末と接続した状態を示す図である。
【００４７】
図３は、本発明の一実施例に係るスマートマウス装置の平面図３１０、スマートマウス装置の正面図の使用者端末１６０との結合前３２０と結合後３３０、後面図の結合前３４０と結合後３５０、背面図３６０、側面図の結合前３７０と結合後３８０を示したものである。使用者端末接続部１４０は、スマートマウス装置の内部に接続端子を有しており、前記スマートマウス装置を使用者端末１６０と結合するとき、使用者端末１６０と接続される。使用者端末接続部１４０は、ＯＴＧ機能を有するので、使用者端末と接続してデータを直接送受信することができる。装置接続部１５０は、スマートマウス装置の外部に接続端子を有しており、コンピューター端末などの他の装置と接続することができる。スマートマウス装置の後面には光センサー１１０が配置されており、この光センサー１１０は、前記スマートマウス装置が結合された使用者端末１６０の移動による位置データを出力する。また、スマートマウス装置の正面に圧力センサー１２０が配置されており、この圧力センサー１２０は、圧力信号などを出力する。光センサー１１０と圧力センサー１２０は、使用者端末１６０のハードウェアを補完するのに使用される。前記位置データと圧力信号は、スマートマウス装置のコントローラーによって使用者端末１６０に送信され、使用者端末とコンピューター端末との間の通信を介してコンピューターに送信される。使用者端末１６０と結合せず、装置接続部１５０を介してコンピューター端末と連結すると、スマートマウス装置を基本マウスとして利用することができる。
【００４８】
図４は、本発明の他の実施例に係るスマートマウス装置が使用者端末と接続した状態を示す図である。
【００４９】
図４は、図３のスマートマウス装置の拡張された形態であって、追加接続部４９１及びメモリ接続部４９２をさらに含む。追加接続部４９１とメモリ接続部４９２は、スマートマウス装置の外部に接続端子を有しており、他の装置またはメモリと結合することができる。追加接続部４９１は、スマートマウス装置のコントローラーとの間でデータを送受信できる各装置と接続することができ、メモリ接続部４９２は、ＳＤカードのようなメモリと接続することができる。使用者端末１６０と結合せずに装置接続部１５０を介してコンピューター端末と連結し、メモリ接続部４９２にＳＤカードを連結すると、スマートマウス装置をＳＤカードリーダー機として利用することができる。
【００５０】
図５は、本発明の更に他の実施例に係るスマートマウス装置が使用者端末と接続した状態を示す図である。
【００５１】
図５は、図４のスマートマウス装置の拡張された形態であって、バッテリー接続部５７０をさらに含む。バッテリー接続部５７０は、使用者端末１６０にバッテリーをさらに接続し、使用者端末１６０のバッテリー容量を増加させたり、前記バッテリーを充電することができる。バッテリー接続部５７０に使用者端末１６０の補助バッテリーを接続することによってバッテリー容量を高めることができ、装置接続部１５０に充電器を接続すると、使用者端末１６０のバッテリーと補助バッテリーを同時に充電することができる。使用者端末１６０と結合せず、装置接続部１５０を介して充電器と連結し、バッテリー接続部５７０にバッテリーを連結すると、スマートマウス装置をバッテリー充電器として使用することができる。
【００５２】
図３〜図５の他にも、多様な実施例に具現することができる。
【００５３】
図６ａ〜図６ｅは、使用者端末によって具現できるマウス機能を示した図である。
【００５４】
より具体的に、前記圧力センサーと前記使用者端末に含まれたボタン及びタッチスクリーンを用いて、クリック、マウスホイール、ショートカットキー、拡大、縮小、取り消し、または所定の命令のうち一つの信号を出力することができる。前記圧力センサーを用いる構成に対する詳細な説明は、図１の圧力センサー１２０に対する詳細な説明に対応するので、図１の圧力センサー１２０に対する詳細な説明を参照すればよい。以下、図面を中心に、使用者端末で具現できる多様な機能を説明する。スマートフォンなどの使用者端末は、タッチスクリーン、カメラ、及び多様なセンサーを含んでいるので、多様な機能を具現することができる。このような多様な機能を具現する方法は、使用者端末に設置されているアプリケーションによって実行されたり、またはスマートマウス装置の記憶装置に保存されるので、スマートマウス装置と使用者端末との接続時、使用者端末は、別途のアプリケーションを用いることなく多様な機能を直接行うことができる。
【００５５】
図６ａは、基本マウス動作機能、コピー機能、拡大縮小機能、またはショートカットキー機能を実現したものを示している。プレスによる圧力を感知し、丸付き数字１は左クリック、丸付き数字２は右クリックのクリック機能を実現する。丸付き数字３は、マウスホイールであって、これを上下に移動させながらスクロール機能が実現され、圧力を加えた状態でプレスによってホイールクリック機能が実現される。丸付き数字４〜５はショートカットキー機能であって、丸付き数字４と丸付き数字５を左右に引っ張るとショートカットキーを拡張することができる。丸付き数字６は、画面拡大、縮小機能を実現したり、編集する文書のフォントサイズを調節することができる。二つの指をすぼめたり広げたりする動作により、遂行しようとする作業で拡大及び縮小機能を実現することができる。丸付き数字７は、取り消しボタンとして直接利用できる使用者端末の取り消しボタンであり得る。丸付き数字８は、使用者端末のメニューボタンであって、多様な設定機能に利用することができる。例えば、設定機能としては、左利き用設定、上下左右動き方向、画面回転調節などを実現することができ、ジェスチャー登録も可能であり、画面下げ、ページ移動などを実現することができる。丸付き数字９は、ホームボタンであって、使用者端末のホームに移動させることができる。
【００５６】
図６ｂは、コピーと貼り付け機能を実現したものを示している。丸付き数字１は、コピーのショートカットキーで、丸付き数字２は、貼り付けのショートカットキーである。コピーしようとする対象を選択し、丸付き数字１を短く押すと直ぐコピーが行われ、その後、丸付き数字２を短く押すと直ぐ貼り付けが行われる。また、コピーしようとする対象を選択し、丸付き数字１を長く押すと、丸付き数字３の数字パッドが画面に出力され、数字パッドを選択すると、該当の数字に前記のコピーしようとする対象が保存される。その後、丸付き数字２を長く押すと、再び数字パッドが画面に出力され、数字パッドを選択すると、前記数字に保存されたコピーしようとする対象が丸付き数字４の画面に表示される。丸付き数字４の画面を押すと、該当のコピーしようとする対象が貼り付けられる。「左向き黒三角」または「右向き黒三角」を押すと、数字パッドが移動し、より多くの数字パッドを選択できるようになる。多様なコピー対象を保存し、貼り付けを行えるので、コピーの便利性と効率性を高めることができる。
【００５７】
図６ｃは、ショートカットキー機能を実現したものを示している。丸付き数字１を上に押し上げると、丸付き数字２のようにアイコンバーが上がり、丸付き数字３のように左右に押すと、より多くのアイコンを選択することができ、再び丸付き数字４のように下げるとアイコンバーが消える。
【００５８】
図６ｄは、オートマウス機能を実現したものを示している。オートマウスは、単純で且つ繰り返される作業を自動的に実行する機能である。図６ｃのアイコンにおいてオートマウスを選択すると、オートマウスが実行される。録画ボタン（丸付き数字１）をクリックすると、録画が開始され、赤い光が点滅する。繰り返す作業を１回行い、再び録画ボタン（丸付き数字１）をクリックすると、青い光が入ってくる。開始ボタン（丸付き数字２）をクリックすると、前記の録画された作業が無限に繰り返される。前記作業遂行中、一時停止ボタン（丸付き数字３）をクリックすると、作業を一時停止する。頻繁に使用される繰り返し作業は、アイコンに保存しておき、必要時にクリックして実行することもできる。
【００５９】
図６ｅは、各種アイコンによって使用可能な機能を示している。前記アイコンを通じて、設定、数字パッド６１０、ジョグシャトル６２０、計算機６３０、音声文字入力、スマートフォン写真取り出し、スマートフォンインターネットスクラップ取り出し、スマートフォンメモ帳取り出し、振動オン／オフ、タブレット、マウス感度（ＤＰＩ）調節などの多様な機能を保存して実行することができる。
【００６０】
数字パッド６１０アイコンを選択すると、ノート型パソコンやスマートパッドのＵＳＢ数字パッドが数字パッド６１０としての役割をすることができる。ジョグシャトル６２０アイコンを選択すると、ジョグシャトルメディア編集機が実行される。これにより、別途のジョグシャトルを用いることなく、低廉な価格で精密な動画メディア編集に必要な編集システムを利用することができる。ジョグシャトルメディア編集機のダイヤルが回転するとき、振動と音などの効果を与えることによって編集機としての機能を提供することができる。また、計算機６３０アイコンを選択すると、計算機が画面に表示され、計算後の結果は丸付き数字１に示され、前記画面（丸付き数字１）をクリックして文書や必要な位置に直接挿入することができる。写真を挿入する位置を選択し、カメラアイコンを選択した後、使用者端末のカメラで写真を撮影すると、前記の選択された位置に写真が直接挿入される。
【００６１】
その他にも、コンピューター端末の画面全体または一部分を選択・キャプチャーして使用者端末に保存することができ、コンピューター端末の文書、画像、動画などを使用者端末に直接保存することができる。また、使用者端末に連結されているクラウドサービスと直接連結し、コンピューター端末の文書、画像、動画などをクラウドサーバーに保存し、クラウドに保存された資料を取り出すことができる。最近作業していた文書、フォトショップ、動画編集、ウェブ検索などの作業を他の場所、他のコンピューター端末に直接取り出し、作業を継続して進めることができる。使用者端末に認証が保存されているので、コンピューター端末で別途にログインすることなく、所望のサイトにおいて自動ログイン自動認証を通じてｅ―メール、ＳＮＳ、金融決済などの作業を行うことができる。
【００６２】
図７は、本発明の他の実施例に係るスマートマウス装置を示している。
【００６３】
本発明の他の実施例に係るスマートマウス装置は、ＴＶまたはモニターなどのディスプレイと有線または無線で連結し、前記ディスプレイ上に文書またはウェブページなど、遂行しようとする作業の画面を出力することができる。また、スマートマウス装置は、追加接続部にキーボードなどの入力装置を接続して使用することができる。前記入力装置は有線または無線で連結することができ、前記入力装置としてブルートゥースキーボードを利用することもできる。スマートマウス装置が連結された使用者端末で遂行しようとする作業を前記ディスプレイ上に出力し、使用者は、前記ディスプレイ上の出力された画面を見ながら、前記スマートマウス装置と連結された使用者端末及び入力装置を用いて前記作業を行うことができる。すなわち、使用者端末をマウスとして用いる場合、使用者端末のディスプレイは、マウス信号が入力される入力部として活用されるので、使用者端末内で遂行しようとする作業を前記使用者端末を通じて確認することができない。したがって、前記ＴＶなどのディスプレイをスマートマウス装置に連結することによって遂行しようとする作業を出力し、前記の連結された入力装置と使用者端末を用いて作業遂行の便宜性を高めることができる。
【００６４】
本発明の各実施例による使用者端末での多様な機能は、多様なコンピューター手段を通じて行えるプログラム命令形態で具現され、コンピューターで読み取り可能な媒体に記録され得る。前記コンピューターで読み取り可能な媒体は、プログラム命令、データファイル、データ構造などを単独でまたは組み合わせて含むことができる。前記媒体に記録されるプログラム命令は、本発明のために特別に設計されて構成されたものであってもよく、またコンピューターソフトウェアの当業者に公知の使用可能なものであってもよい。コンピューターで読み取り可能な記録媒体の例には、ハードディスク、プロッピーディスク及び磁気テープなどの磁気媒体、ＣＤ―ＲＯＭ、ＤＶＤなどの光記録媒体、フロプティカルディスクなどの磁気―光媒体（ｍａｇｎｅｔｏ―ｏｐｔｉｃａｌ  ｍｅｄｉａ）、及びＲＯＭ、ＲＡＭ、フラッシュメモリなどのプログラム命令を保存して遂行するように特別に構成されたハードウェア装置が含まれる。プログラム命令の例には、コンパイラによって作られる機械語コードのみならず、インタープリターなどを使用してコンピューターによって実行可能な高級言語コードが含まれる。前記のハードウェア装置は、本発明の動作を遂行するために一つ以上のソフトウェアモジュールとして作動するように構成されてもよく、その逆も同様である。
【００６５】
以上のように、本発明は、具体的な構成要素などの特定事項と限定された実施例及び図面に基づいて説明したが、これは、本発明のより全般的な理解を促進するために提供されたものに過ぎなく、本発明は、前記の実施例に限定されるものではなく、本発明の属する分野で通常の知識を有する者であれば、このような記載から多様な修正及び変形が可能である。
【００６６】
したがって、本発明の思想は、上述した実施例に限定して定めてはならなく、後述する特許請求の範囲のみならず、この特許請求の範囲と均等であるか、等価的変形を有する全てのものが本発明の思想の範疇に属すると言えるだろう。
【符号の説明】
【００６７】
１００：スマートマウス装置、１１０：光センサー、１２０：圧力センサー、１３０：コントローラー、１４０：使用者端末接続部、１５０：装置接続部、１６０：使用者端末、１７０：コンピューター端末、２１０：内蔵バッテリー、２２０：追加接続部、２３０：バッテリー接続部、２４０：メモリ接続部
【図１】
2015524965.tif 000003
【図２】
2015524965.tif 000004
【図３】
2015524965.tif 000005
【図４】
2015524965.tif 000006
【図５】
2015524965.tif 000007
【図６ａ】
2015524965.tif 000008
【図６ｂ】
2015524965.tif 000009
【図６ｃ】
2015524965.tif 000010
【図６ｄ】
2015524965.tif 000011
【図６ｅ】
2015524965.tif 000012
【図７】
2015524965.tif 000013
【国際調査報告】
2015524965.tif 000014
2015524965.tif 000015
2015524965.tif 000016
2015524965.tif 000017